(57)【特許請求の範囲】
【請求項１】
回転軸を有する電動機および／または発電機の周囲に配置される消音器本体と、
該消音器本体を内蔵した消音器ケーシングと、を備え、
該消音器ケーシングは、前記回転軸の軸方向に対して直交する方向に分割可能であり、
分割された前記消音器ケーシングの各分割面には、フランジが設けられて、
一方の前記消音器ケーシングの前記フランジの断面形状がＬ字形状であることを特徴とする過給機用消音器。
【請求項２】
一方の前記フランジは、分割面に沿って延びる水平部と、前記水平部の延在端から前記分割面の延在方向と直交する方向に向かって延びる鉛直部とを有する請求項１に記載の過給機用消音器。
【請求項３】
回転軸を有する電動機および／または発電機の周囲に配置される消音器本体と、
該消音器本体を内蔵した消音器ケーシングと、を備え、
該消音器ケーシングは、前記回転軸の軸方向に対して直交する方向に分割可能であり、
前記消音器本体は、略板状の複数の吸音材により形成されており、
各該吸音材は、前記回転軸周りの周方向に略等間隔で配置されており、
前記吸音材間に形成される外気流路のいずれかにおいて前記消音器本体が分割されるように各前記吸音材を配置することを特徴とする過給機用消音器。
【請求項４】
分割された前記消音器ケーシングの分割面には、制振材が挟持されることを特徴とする請求項１から請求項３のいずれかに記載の過給機用消音器。
【請求項５】
前記消音器ケーシングは、その軸方向に直交する方向の側壁に外気を吸引する吸引口と、前記軸方向の両端部のそれぞれに設けられた端面と、前記電動機および／または前記発電機の外周に設けられて前記端面間を接続する複数の消音器用リブと、を有し、
各前記フランジは、各前記端面から前記軸方向の外方に向かって延在することを特徴とする請求項１から請求項４のいずれかに記載の過給機用消音器。
【請求項６】
前記消音器用リブは、分割した各前記消音器ケーシングの剛性を高めることが可能な本数設けられることを特徴とする請求項５に記載の過給機用消音器。
【請求項７】
前記電動機および／または前記発電機は、その外周を囲むハウジングと、該ハウジングから前記消音器ケーシングの前記側壁に向かって延在する複数のハウジング用リブと、を備え、
前記消音器用リブは、前記ハウジング用リブと接触しない形状であることを特徴とする請求項５または請求項６に記載の過給機用消音器。
【請求項８】
前記消音器本体は、略板状の複数の吸音材により形成されており、
各該吸音材は、前記回転軸周りの周方向に略等間隔で配置されており、
前記吸音材間に形成される外気流路のいずれかにおいて前記消音器本体が分割されるように各前記吸音材を配置することを特徴とする請求項１または請求項２に記載の過給機用消音器。
【請求項９】
請求項１から請求項８のいずれかに記載の過給機用消音器を備えた過給機。
【請求項１０】
コンプレッサと共に回転駆動する回転軸を有する電動機および／または発電機と、
前記電動機および／または前記発電機の周囲に配置される消音器本体と、該消音器本体を内蔵した消音器ケーシングとを有する過給機用消音器と、
前記電動機および／または前記発電機に対し、前記コンプレッサとは反対側の前記過給機用消音器の端部側に設けられ、かつ、前記電動機および／または前記発電機のケーシングに設けられる配管取り合い部、および／または、前記電動機および／または前記発電機の軸の一端に設けられるジャンクションボックスと、
を備え、
前記消音器ケーシングは、前記回転軸の軸方向に対して直交する方向に分割可能であることを特徴とする過給機。
【請求項１１】
コンプレッサ及びタービンの回転軸に結合する電動発電機と、
該電動発電機の周囲に取り付けられた電動発電機ハウジングと、
該電動発電機ハウジングから放射状に延在しかつ複数配置され、それぞれが前記コンプレッサの空気取り入れ口の方向に拡大して前記電動発電機と前記電動発電機ハウジングを支える電動発電機ハウジング用リブと、
該電動発電機ハウジング用リブの周囲に複数配置され、前記コンプレッサの空気取り入れ口から外部に流出する音を遮断するサイレンサエレメントと、
該サイレンサエレメントを覆うように周囲に設けられたサイレンサケーシングと、
前記回転軸と直交する面と平行で、前記サイレンサエレメントを挟み込み前記サイレンサケーシングの一部を構成する各パネルと、
該パネル間を結んで前記回転軸に対して放射状に延在するサイレンサ用リブと、を備えたハイブリッド過給機であって、
前記サイレンサケーシングは、上部側サイレンサケーシングと、下部側サイレンサケーシングとに、水平方向で二分割され、
前記電動発電機ハウジング用リブと前記サイレンサ用リブとは、前記上部側サイレンサケーシングを垂直方向に持ち上げる場合に、互いに干渉しないよう形状が調整されていることを特徴とするハイブリッド過給機。
【発明の詳細な説明】
【技術分野】
【０００１】
本発明は、過給機用消音器、これを備えた過給機およびハイブリッド過給機に関し、特に、舶用の過給機に用いられる過給機用消音器の構造に関するものである。
【背景技術】
【０００２】
一般に、舶用の内燃機関から導かれた排気ガスによって駆動される過給機に設けられている過給機用消音器（以下、「サイレンサ」という。）は、一体構造とされており、過給機の軸方向に取り外しが可能とされている（例えば、特許文献１）。
特許文献１では、説明の都合上、半割状態で示されたサイレンサが開示されているが、実際には一体構造とされた過給機である。
【０００３】
また、特許文献２には、過給機としてサイレンサ内側に発電・電動機を内蔵しているハイブリッド過給機が開示されている。このハイブリッド過給機は、図２に示すように、排気ガスによって駆動されるタービン１０２と、タービン１０２により駆動されて外気を圧送するコンプレッサ１０３と、タービン１０２およびコンプレッサ１０３を接続している過給機用回転軸（図示せず）と、コンプレッサ１０３のタービン１０２と反対側に設けられているサイレンサ１０５と、過給機用回転軸にフレキシブル・カップリング（図示せず）を介して結合されている電動発電機軸（図示せず）を有する発電・電動機（図示せず）とを備えている。
【０００４】
発電・電動機は、電動発電機ハウジング１０６内に収容され、さらに、この電動発電機ハウジング１０６は、一体的に成形されているサイレンサ１０５内に設けられている。サイレンサ１０５は、ハイブリッド過給機１０１の軸方向のコンプレッサ１０３と反対側の端面の略中央部に、発電・電動機に供給する潤滑油や冷却水、冷却空気用の配管（図示せず）が接続される配管取り合い部１１３が設けられている。
【０００５】
また、発電・電動機には、その略中心部をハイブリッド過給機１０１の軸方向を電動発電機軸が貫通しており、その電動発電機軸の一端がサイレンサ１０５の端面の略中央部を貫通している。このサイレンサ１０５の端面を貫通している電動発電機軸は、サイレンサ１０５のコンプレッサ１０３と反対側の端面から突出しており、その突出している端部にジャンクションボックス１０９が設けられている。このジャンクションボックス１０９には、出力電力ケーブル（図示せず）、端面には潤滑油、冷却空気、冷却水の配管が接続されることとなる。
【先行技術文献】
【特許文献】
【０００６】
【特許文献１】特開２００１−２９５６２３号公報
【特許文献２】特開２００７−５６７９０号公報
【発明の概要】
【発明が解決しようとする課題】
【０００７】
しかし、特許文献２や図２に示したハイブリッド過給機１０１の場合には、サイレンサ１０５が一体的に成形されており、サイレンサ１０５のコンプレッサ１０３と反対側の端面にはジャンクションボックス１０９が設けられているため、発電・電動機やフレキシブル・カップリングのメンテナンスを行う際には、ジャンクションボックス１０９に接続されている出力電力ケーブルや配管取り合い部１１３に接続されている潤滑油や冷却水、冷却空気用の配管を取り外した後に、サイレンサ１０５をハイブリッド過給機１０１の軸方向（紙面左側）に引き抜く必要がある。
【０００８】
このように、サイレンサ１０５を引き抜く前に出力電力ケーブルや各種配管を取除く必要があり、メンテナンス作業に多くの人員や時間が必要となるという問題があった。
【０００９】
本発明は、上記課題を解決するためになされたものであり、メンテナンス性を向上させることが可能な電動機および／または発電機を内蔵する過給機用消音器、これを備えた過給機およびハイブリッド過給機を提供することを目的とする。
【課題を解決するための手段】
【００１０】
上記目的を達成するために、本発明は、以下の手段を提供する。
すなわち、本発明の過給機用消音器は、回転軸を有する電動機および／または発電機の周囲に配置される消音器本体と、該消音器本体を内蔵した消音器ケーシングと、を備え、該消音器ケーシングは、前記回転軸の軸方向に対して直交する方向に分割可能であることを特徴とする。
【００１１】
一般に、電動機および／または発電機を内蔵する過給機用消音器では、過給機用消音器の消音器ケーシングを電動機および／または発電機の回転軸が貫通しており、その回転軸の端部に出力電力ケーブルが接続されるジャンクションボックスが設けられている。さらに、消音器ケーシングのジャンクションボックスが設けられた側の面には、電動機および／または発電機へ供給する潤滑油や冷却冷媒用の配管が接続されている。
このような過給機用消音器を開放する際に回転軸の軸方向に消音器ケーシングを引き抜く場合には、ジャンクションボックスに接続されている出力電力ケーブルや配管を取り外す必要がある。そのため、これらの取り外し作業に人員や時間が必要となり、メンテナンス性に劣るという問題があった。
【００１２】
そこで、消音器ケーシングを電動機および／または発電機の回転軸の軸方向に対して直交する方向に分割可能とすることとした。これにより、配管や出力電力ケーブルを取り外すことなく消音器ケーシングを取り外して、過給機用消音器を開放することができる。したがって、過給機用消音器のメンテナンス作業の簡易化を図って、メンテナンス作業における人員削減及びメンテナンス時間の低減を図ることができる。
【００１３】
また、本発明の過給機用消音器に係る分割された前記消音器ケーシングの各分割面には、フランジが設けられて、一方の前記消音器ケーシングの前記フランジの断面形状がＬ字形状であることを特徴とする。
【００１４】
消音器ケーシングの分割面にフランジを設けて、分割された一方の消音器ケーシングのフランジをＬ字形状にすることとした。Ｌ字形状のフランジにより、消音器ケーシングの分割面から音が漏洩する経路をＬ字に折り曲げることができるので、音の漏洩を抑制することができる。したがって、一方の消音器ケーシングのフランジをＬ字形状とせずに平面形状とした場合に比べて、分割面から漏洩する音を低減することができる。
また、一方の消音器ケーシングのフランジをＬ字形状にすることによって、消音器ケーシングを締結する際に分割面同士の位置決めが容易となる。したがって、過給機用消音器の組立性を向上させることができる。
【００１５】
また、本発明の過給機用消音器に係る分割された前記消音器ケーシングの分割面には、制振材が挟持されることを特徴とする。
【００１６】
制振材を消音器ケーシングの分割面に挟持することとした。これにより、消音器ケーシングの分割面から漏洩する音をより一層低減することができる。
【００１７】
また、本発明の過給機用消音器に係る前記消音器ケーシングは、その軸方向に直交する方向の側壁に外気を吸引する吸引口と、前記軸方向の両端部のそれぞれに設けられた端面と、前記電動機および／または前記発電機の外周に設けられて前記端面間を接続する複数の消音器用リブと、を有し、各前記フランジは、各前記端面から前記軸方向の外方に向かって延在することを特徴とする。
【００１８】
消音器ケーシングは、その軸方向に直交する方向の側壁に外気を吸引する吸引口と、消音器ケーシングの軸方向の端部に設けられる各端面と、電動機および／または発電機の外周に設けられて端面間を接続する複数の消音器用リブとにより形成されて、各端面には、消音器ケーシングの軸方向の外方に向かって延在するフランジを設けることとした。このように、フランジを消音器ケーシングの端面から外方に延在するように設けることによって、吸引口から消音器ケーシング内に吸引する外気の流れを阻害することなく外気を吸引することができる。
【００１９】
また、本発明の過給機用消音器に係る前記消音器用リブは、分割した各前記消音器ケーシングの剛性を高めることが可能な本数設けられることを特徴とする。
【００２０】
消音器用リブを複数本設けて、分割した各消音器ケーシングの剛性を高めることとした。これにより、分割した消音器ケーシングを、分割しなかった消音器ケーシングの剛性と略同等に維持することができる。
【００２１】
また、本発明の過給機用消音器に係る前記電動機および／または前記発電機は、その外周を囲むハウジングと、該ハウジングから前記消音器ケーシングの前記側壁に向かって延在する複数のハウジング用リブと、を備え、前記消音器用リブは、前記ハウジング用リブと接触しない形状であることを特徴とする。
【００２２】
消音器用リブの形状を、電動機および／または発電機の外周に設けられるハウジングから外方に延在するハウジング用リブと接触しないものにすることとした。これにより、消音器用リブとハウジング用リブとが干渉しなくなる。したがって、消音器ケーシングを分割して開放することが可能となる。
【００２３】
また、本発明の過給機用消音器に係る前記消音器本体は、略板状の複数の吸音材により形成されており、各該吸音材は、前記回転軸周りの周方向に略等間隔で配置されており、前記吸音材間に形成される外気流路のいずれかにおいて前記消音器本体が分割されるように各前記吸音材を配置することを特徴とする。
【００２４】
電動機および／または発電機の回転軸周りの周方向に、略等間隔に略板状の複数の吸音材が配置された消音器本体を分割した際には、吸音材間に形成される外気流路のいずれかにおいて消音器本体が分割されるように各吸音材を配置することとした。したがって、吸音材自体が分割されて吸音効果が低減することを抑制することができる。
【００２５】
また、本発明の過給機は、上記のいずれかに記載の過給機用消音器を備えたことを特徴とする。
【００２６】
メンテナンス作業が容易な過給機用消音器を用いることとした。これにより、過給機用消音器に内蔵されている電動機および／または発電機のメンテナンスが容易となる。したがって、過給機のメンテナンス性を向上させることができる。
【００２７】
また、本発明のハイブリッド過給機は、コンプレッサ及びタービンの回転軸に結合する電動発電機と、該電動発電機の周囲に取り付けられた電動発電機ハウジングと、該電動発電機ハウジングから放射状に延在かつ複数配置され、それぞれが前記コンプレッサの空気取り入れ口の方向に拡大して前記電動発電機と前記電動発電機ハウジングを支える電動発電機ハウジング用リブと、該電動発電機ハウジング用リブの周囲に複数配置され前記コンプレッサの前記空気取り入れ口から外部に流出する音を遮断するサイレンサエレメントと、該サイレンサエレメントを覆うように周囲に設けられたサイレンサケーシングと、前記回転軸と直交する面と平行で、前記サイレンサエレメントを挟み込み前記サイレンサケーシングの一部を構成する各パネルと、該パネル間を結んで前記回転軸に対して放射状に延在するサイレンサ用リブと、を備えたハイブリッド過給機であって、前記サイレンサケーシングは、上部側サイレンサケーシングと、下部側サイレンサケーシングとに、水平方向で二分割され、前記電動発電機ハウジング用リブと前記サイレンサ用リブとは、前記上部側サイレンサケーシングを垂直方向に持ち上げる場合に、互いに干渉しないよう形状が調整されていることを特徴とする。
【発明の効果】
【００２８】
以上のように、本発明に係る過給機用消音器、これを備えた過給機およびハイブリッド過給機は、消音器ケーシングを電動機および／または発電機の回転軸の軸方向に対して直交する方向に分割可能とすることとした。これにより、配管や出力電力ケーブルを取り外すことなく消音器ケーシングを取り外して、過給機用消音器を開放することができる。したがって、過給機用消音器のメンテナンス作業の簡易化を図って、メンテナンス作業における人員削減及びメンテナンス時間の低減を図ることができる。
【図面の簡単な説明】
【００２９】
【図１】本発明の実施形態に係るサイレンサを有するハイブリッド過給機全体の斜視図である。
【図２】従来のサイレンサを有するハイブリッド過給機全体の斜視図である。
【図３】図１に示すハイブリッド過給機のサイレンサを分割した場合の斜視図である。
【図４】図３に示すサイレンサを右側面からみた部分拡大構成図である。
【図５】図３に示すサイレンサを左側面からみた部分拡大構成図である。
【図６】図１および図２に示すサイレンサケーシングであり、（Ａ）は、従来の構造を示し、（Ｂ）は、本実施形態に係る構造を示す。
【図７】図１および図２に示すサイレンサの左側面図であり、（Ａ）は、従来の構造を示し、（Ｂ）は、本実施形態に係る構造を示す。
【図８】図１および図２に示すサイレンサを分割した場合の平面図であり、（Ａ）は、従来の構造を示し、（Ｂ）は、本実施形態に係る構造を示す。
【図９】図１および図２に示すサイレンサのサイレンサエレメントの縦断面概略構成図であり、（Ａ）は、従来の構造を示し、（Ｂ）は、本実施形態の構造を示す。
【図１０】図９に示すサイレンサエレメントであり、（Ａ）は、従来の構造を示し、（Ｂ）は、本実施形態に係るサイレンサエレメントを分割した際の構造を示す。
【図１１】図９（Ｂ）に示すサイレンサエレメントの部分拡大図である。
【発明を実施するための形態】
【００３０】
以下に、図面を参照しつつ、本実施形態に係るサイレンサを備えているハイブリッド過給機について、従来のサイレンサを備えているハイブリッド過給機と比較しながら説明する。
図１には、本実施形態に係るサイレンサを備えているハイブリッド過給機の斜視図が示されており、図２には、従来のサイレンサを備えているハイブリッド過給機の斜視図が示されている。また、図３から図５には、図１に示した本実施形態に係るサイレンサの斜視図と部分拡大構成図が示されている。さらに、図６から図１０は、サイレンサ、サイレンサケーシングおよびサイレンサエレメントの構造を示す図であり、各図中の左図が従来の構造を示し、各図中の右図が本実施形態に係る構造を示している。また、図１１には、本実施形態に係るサイレンサエレメントの部分拡大図が示されている。
【００３１】
本実施形態に係るサイレンサ（過給機用消音器）５を備えているハイブリッド過給機（過給機）１は、図１および図３に示すように、図示しない舶用の内燃機関（例えば、ディーゼルエンジンやガスタービンエンジン等）から導かれた排気ガスによって駆動されるタービン２と、タービン２により駆動されて前述した内燃機関に空気（外気）を圧送するコンプレッサ３と、これらタービン２とコンプレッサ３とを接続している過給機用回転軸（図示せず）と、その内部に電動・発電機（電動機および／または発電機）を有しているサイレンサ５とを主たる要素として構成されている。
【００３２】
コンプレッサ３は、回転駆動されることで空気を径方向外側に送出するコンプレッサ羽根車（図示せず）と、コンプレッサ羽根車の周囲を囲んでコンプレッサ羽根車が送出した空気を圧縮する渦巻き室（図示せず）とを有している。このように渦巻き室を通過した空気は、図示しないインタークーラやサージタンク等を通過して前述した内燃機関に供給されるようになっている。また、コンプレッサ３のタービン２と反対側には、サイレンサ５が隣接して配置されている。
【００３３】
サイレンサ５は、略円筒形状の外周吸込型とされており、図３に示すように、電動・発電機の周囲に配置されているサイレンサエレメント（消音器本体）７と、サイレンサエレメント７を内蔵しているサイレンサケーシング（消音器ケーシング）８とを備えている。サイレンサエレメント７およびサイレンサケーシング８は、過給機用回転軸の軸方向に対して直交する方向（本紙の上下方向）に２分割可能とされている。
【００３４】
電動・発電機は、図３に示すように、電動発電機ハウジング（ハウジング）６により外周が囲われている。電動発電機ハウジング６に内蔵されている電動・発電機は、その略中心部をハイブリッド過給機１の軸方向に電動発電機軸（回転軸）が貫通している。この電動発電機軸（図示せず）は、コンプレッサ３およびタービン２を接続している過給機用回転軸にフレキシブル・カップリング（図示せず）を介して略同一線上に位置するように配置されており、過給機用回転軸と共に回転駆動するようになっている。
【００３５】
電動発電機軸の一端は、電動発電機ハウジング６およびサイレンサケーシング８の略中心部を貫通して紙面左側に突出しており、その一端には、出力電力ケーブル（図示せず）が接続されるジャンクションボックス９が設けられている。また、ジャンクションボックス９が設けられている側の電動発電機ハウジング６には、電動・発電機へと潤滑油や冷却水、冷却空気を供給する各供給用配管（図示せず）が接続される配管取り合い部１３が設けられている。
【００３６】
ここで、電動発電機ハウジング６は、略円柱形状とされて、その外周には、図４および図５に示すように、電動発電機ハウジング６の軸方向と長さが略同等であり電動発電機ハウジング６からサイレンサケーシング８の吸引口（側壁）１２に向かって延在している複数の電動発電機ハウジング用リブ（ハウジング用リブ）１６が設けられている。
【００３７】
サイレンサケーシング８は、その軸方向の両端部のそれぞれに垂直に設けられている各パネル（端面）１０ａ、１０ｂと、電動発電機ハウジング６の外周に設けられておりパネル１０ａ、１０ｂ間を接続するように設けられているサイレンサ用リブ（消音器用リブ）１１とを有しており、これらによって略円筒形状に形成されている。また、サイレンサケーシング８の軸方向に直交する方向の側壁は、空気を吸引する吸引口１２となっている。さらに、サイレンサケーシング８は、前述したように上部側サイレンサケーシング８ａと下部側サイレンサケーシング８ｂとに２分割可能とされている。
【００３８】
図４、図５および図６に示すように、サイレンサケーシング８を構成している各パネル１０ａ、１０ｂは、上部側サイレンサケーシング８ａと下部側サイレンサケーシング８ｂとを締結した際に、環形状となるように形成されており、水平方向において上下方向に２分割可能とされている。また、各パネル１０ａ、１０ｂの外周には、各サイレンサケーシング８ａ、８ｂを釣り上げる際に用いられる釣り上げ用ピース２２が複数（例えば、上部側サイレンサケーシング８ａの各パネル１０ａ、１０ｂに各３個所、下部側サイレンサケーシング８ｂの各パネル１０ａ、１０ｂに各３個所）設けられている。
【００３９】
上部側サイレンサケーシング８ａおよび下部側サイレンサケーシング８ｂの継手面（分割面）には、各パネル１０ａ、１０ｂの外面から外方（ハイブリッド過給機１の軸方向）に向かって水平方向に延在しているフランジ１４、１５が各々設けられている。上部側サイレンサケーシング８ａに設けられているフランジ１４を構成している水平部１４ａ（図４および図５参照）と、下部側サイレンサケーシング８ｂに設けられているフランジ１５との間には、上部側サイレンサケーシング８ａと下部側サイレンサケーシング８ｂとを図示しないボルトとナットによって締結した際にゴムシート（制振材）等が挟持される。
【００４０】
上部側サイレンサケーシング８ａのフランジ１４は、図４および図５に示すように、各パネル１０ａ、１０ｂの外面から外方に向かって水平方向に延在している水平部１４ａと、その延在端において鉛直方向下方に向かって延在している鉛直部１４ｂとによって形成されている。すなわち、フランジ１４は、その断面形状がＬ字形状となるように形成されている。このようにフランジ１４をＬ字形状にすることによって、ハイブリッド過給機１（図１参照）が駆動した際であっても上部側サイレンサケーシング８ａと下部側サイレンサケーシング８ｂとの継手面の間から漏洩した空気の経路をＬ字状に折り曲げることによって、漏洩する空気音を低減することができる。
【００４１】
下部側サイレンサケーシング８ｂに設けられているフランジ１５には、上部側サイレンサケーシング８ａと下部側サイレンサケーシング８ｂとを締結した際に、継手面同士の位置決めをするために用いられるテーパーピン（図示せず）が挿入されるテーパーピン用穴（図示せず）が各１個所に設けられている。
【００４２】
サイレンサケーシング８を形成しているサイレンサ用リブ１１は、前述したように電動発電機ハウジング６の外周を囲むようにしてパネル１０ａ、１０間を接続している。ここで、図６および図７に示すように、従来の構造のサイレンサ用リブ１１１（図６（Ａ）および図７（Ａ））と、本実施形態に係るサイレンサ用リブ１１（図６（Ｂ）および図７（Ｂ））とを比較した場合、本実施形態に係るサイレンサケーシング８に設けられているサイレンサ用リブ１１は、その数が従来の構造のサイレンサケーシング１０８におけるサイレンサ用リブ１１１の数が８枚であるのに比べて、例えば上部側サイレンサケーシング８ａにおいて８枚、下部側サイレンサケーシング８ｂにおいて８枚の合計１６枚に増加している。
【００４３】
また、本実施形態に係る上部側サイレンサケーシング８ａおよび下部側サイレンサケーシング８ｂの継手面には、図４や図５に示すように、フランジ１４およびフランジ１５の水平方向において面一（略同位置）になるようにサイレンサ用リブ１１が設けられている。このように、サイレンサ用リブ１１がフランジ１４の水平部１４ａおよびフランジ１５と面一になるように設けられ、かつ、上部側サイレンサケーシング８ａおよび下部側サイレンサケーシング８ｂに設けられるサイレンサ用リブ１１の数を増加させることによって、上部側サイレンサケーシング８ａおよび下部側サイレンサケーシング８ｂの各剛性を従来のサイレンサケーシング１０８（図６（Ａ）および図７（Ａ）参照）と略同等に維持することが可能とされている。
【００４４】
さらに、図８に示すように、従来のサイレンサ１０５（図８（Ａ））と、本実施形態に係るサイレンサ５（図８（Ｂ））とを水平方向で分割して平面視した場合、従来の構造の場合にはサイレンサ用リブ１１１の電動発電機ハウジング１０６側への延在端が電動発電機ハウジング用リブ１１６の延在端と一部重なるよう（図８（Ａ）中の点線で示す）に組み立てられているのに対して、本実施形態に係る構造のサイレンサ用リブ１１は、電動発電機ハウジング６側への延在方向の長さが電動発電機ハウジング用リブ１６の延在端と重ならないような長さ（形状）とされている。このように本実施形態のサイレンサ用リブ１１の電動発電機ハウジング６方向の長さを従来のサイレンサ用リブ１１１に比べて短くした形状にすることによって、サイレンサ用リブ１１と電動発電機ハウジング用リブ１６とが干渉することなくサイレンサケーシング８を２分割することができる。
【００４５】
サイレンサエレメント７は、図４および図５に示すように、サイレンサ用リブ１１の外周であってパネル１０ａ、１０ｂに挟まれるように設けられており、略円筒形状とされている。サイレンサエレメント７は、略水平方向の位置において、２分割可能とされている。このようなサイレンサエレメント７は、電動発電機ハウジング６の外周の周方向に略板状の複数のエレメント（吸音材）７ａを略等間隔に配置することにより形成されている。
【００４６】
略板状のエレメント７ａは、その断面形状が、図９から図１１に示すように、略くの字形状とされている。エレメント７ａは、その材料として、例えばグラスウールなどが用いられている。このようなエレメント７ａによって構成されているサイレンサエレメント７を上下方向に２分割した際の部分拡大図が図１１に示されている。図１１に示すように、各エレメント７ａは、サイレンサエレメント７を２分割した際に、上部側サイレンサケーシング８ａと下部側サイレンサケーシング８ｂとの継手面に対応する位置においてエレメント７ａ間が分割される。すなわち、各エレメント７ａは、図９（Ｂ）に示すように、継手面に対応する位置のエレメント７ａ間に形成されており、空気が通過する外気流路１８において分割され、エレメント７ａ自体が上下方向に分割されることがないように電動発電機ハウジング６（図３および図４参照）の周方向に配置されている。エレメント７ａを図１１に示すように配置することによって、エレメント７ａ自体が分割されることがないので、消音効果を損なうことなくサイレンサエレメント７を２分割することができる。
【００４７】
以上の通り、本実施形態に係るサイレンサ５およびこれを備えているハイブリッド過給機１によれば、以下の作用効果を奏する。
サイレンサケーシング（消音器ケーシング）８を電動・発電機（電動機および／または発電機）の電動発電機軸（回転軸）の軸方向に対して直交する方向に２分割可能とすることとした。これにより、配管取り合い部１３から供給用配管（図示せず）やジャンクションボックス９から出力電力ケーブル（図示せず）を取り外すことなくサイレンサケーシング（消音器ケーシング）８を取り外して、サイレンサ（過給機用消音器）５を開放することができる。したがって、サイレンサ５のメンテナンス作業の簡易化を図って、メンテナンス作業における人員削減及びメンテナンス時間の低減を図ることができる。
【００４８】
上部側サイレンサケーシング８ａと下部側サイレンサケーシング８ｂとの継手面（分割面）にはフランジ１４、１５を設けて、上部側サイレンサケーシング（分割された一方のサイレンサケーシング）８ａのフランジ１４をＬ字形状にすることとした。Ｌ字形状のフランジ１４により、上部側サイレンサケーシング８ａと下部側サイレンサケーシング８ｂとの継手面から空気音が漏洩する経路をＬ字に折り曲げることができるので、空気音の漏洩を抑制することができる。したがって、上部側サイレンサケーシング８ａのフランジ１４をＬ字形状とせずに平面形状とした場合に比べて、継手面から漏洩する空気音を低減することができる
また、上部側サイレンサケーシング８ａのフランジ１４をＬ字形状にすることによって、上部側サイレンサケーシング８ａと下部側サイレンサケーシング８ｂとを締結する際の継手面同士の位置決めが容易となる。したがって、サイレンサ５の組立性を向上させることができる。
【００４９】
ゴムシート（制振材）をフランジ１４の水平部１４ａとフランジ１５との間（サイレンサケーシング８の継手面）に挟持することとした。これにより、上部側サイレンサケーシング８ａと下部側サイレンサケーシング８ｂとの継手面から漏洩する空気音をより一層低減することができる。
【００５０】
サイレンサケーシング８は、その軸方向に直交する方向の側壁に空気（外気）を吸引する吸引口１２と、サイレンサケーシング８の軸方向の端部に設けられている各パネル（端面）１０ａ、１０ｂと、電動・発電機の外周に設けられてパネル１０ａ、１０ｂ間を接続している複数（例えば１６本）のサイレンサ用リブ（消音器用リブ）１１とにより形成されており、各パネル１０ａ、１０ｂには、サイレンサケーシング８の軸方向の外方に向かって延在しているフランジ１４、１５を設けることとした。このように、フランジ１４、１５をサイレンサケーシング８の各パネル１０ａ、１０ｂから外方に延在するように設けることによって、吸引口１２からサイレンサケーシング８内に吸引する空気の流れを阻害することなく空気を吸引することができる。
【００５１】
サイレンサ用リブ１１を上部側サイレンサケーシング８ａおよび下部側サイレンサケーシング８ｂに例えば各々８本（複数本）設けて上部側サイレンサケーシング８ａおよび下部側サイレンサケーシング８ｂの剛性を高めることとした。これにより、上部側サイレンサケーシング８ａおよび下部側サイレンサケーシング８ｂを、分割しなかったサイレンサケーシング１０８（図６（Ａ）参照）の剛性と略同等に維持することができる。
【００５２】
サイレンサ用リブ１１の形状を、電動・発電機の外周に設けられている電動発電機ハウジング（ハウジング）６から外方に延在している電動発電機ハウジング用リブ（ハウジング用リブ）１６と接触しないものにすることとした。これにより、サイレンサ用リブ１１と電動発電機ハウジング用リブ１６とが干渉しなくなる。したがって、サイレンサケーシング８を分割して開放することが可能となる。
【００５３】
電動・発電機の電動発電機軸周りの周方向に略等間隔に略板状の複数のエレメント（吸音材）７ａが配置されているサイレンサエレメント（消音器本体）７を分割した際には、各エレメント７ａ間に形成される外気流路１８であって、上部側サイレンサケーシング８ａおよび下部側サイレンサケーシング８ｂの継手面に対向する位置のサイレンサエレメント７において（各エレメント７ａ間に形成される外気流路１８のいずれかにおいて）、サイレンサエレメント７が２分割されるよう各エレメント７ａを電動発電機ハウジング６の周方向に配置することとした。したがって、エレメント７ａ自体が分割されて吸音効果が低減することを抑制することができる。
【００５４】
メンテナンス作業が容易なサイレンサ５を用いることとした。これにより、サイレンサ５に内蔵されている電動・発電機のメンテナンスが容易となる。したがって、ハイブリッド過給機１のメンテナンス性を向上させることができる。
【００５５】
なお、本実施形態では、電動・発電機をサイレンサ５に内蔵するとして説明したが、本発明は、これに限定されるものではなく電動機または発電機としてもよい。
【符号の説明】
【００５６】
１  過給機（ハイブリッド過給機）
５  過給機用消音器（サイレンサ）
６  ハウジング（電動発電機ハウジング）
７  消音器本体（サイレンサエレメント）
７ａ  吸音材（エレメント）
８  消音器ケーシング（サイレンサケーシング）
１０、１０ａ、１０ｂ  端面（パネル）
１１  消音器用リブ（サイレンサ用リブ）
１２  吸引口
１４、１５  フランジ
１６  ハウジング用リブ（電動発電機ハウジング用リブ）
１８  外気流路
【図１】
0005843505.tif 000002
【図２】
0005843505.tif 000003
【図３】
0005843505.tif 000004
【図４】
0005843505.tif 000005
【図５】
0005843505.tif 000006
【図６】
0005843505.tif 000007
【図７】
0005843505.tif 000008
【図８】
0005843505.tif 000009
【図９】
0005843505.tif 000010
【図１０】
0005843505.tif 000011
【図１１】
0005843505.tif 000012